(57)【要約】【課題】  簡単な構成で、水位を上下させることのできる水槽を提供することを目的とする。【解決手段】  水槽１０のコーナー部１０ａの両側壁１６，１７に架け渡される本体平板１１と、この本体平板１１に沿って左右へ送られる引き戸部１４とを備える。本体平板１１には、斜め方向の開口窓１５が形成され、引き戸部１４のスライド位置によって開口窓１５の開口程度が調節される。開口窓１５の開口の程度によって、その開口下端の位置が変わり（Ｓ2）、これに伴って水位が変わる。【選択図】      図１
2007082512.tif 000002
【特許請求の範囲】
【請求項１】
オーバーフロー排水管がそのコーナー部近傍に配置された矩形の水槽であって、
該オーバーフロー排水管は、前記コーナー部の両側壁に架け渡される本体平板と、この本体平板に沿って左右へ送られる引き戸部とを備え、
前記本体平板には、斜め方向の開口窓が形成され、前記引き戸部のスライド位置によって前記開口窓の開口程度が調節されることを特徴とする水槽。
【請求項２】
円筒状のオーバーフロー排水管が配置された水槽において、
前記オーバーフロー排水管は、周方向に摺動可能な２重パイプとなっており、
該２重パイプのうちの一方のパイプが縦方向の第１の開口窓を備えると共に、他方のパイプが斜め方向の第２の開口窓を備え、前記第１の開口窓と前記第２の開口窓が重なった箇所において開口が形成されるものであることを特徴とする水槽。
【請求項３】
前記一方のパイプ或いは前記他方のパイプを周方向に回転させるモータが接続されたものである請求項２に記載の水槽。
【請求項４】
水槽に配置される円筒状のオーバーフロー排水管であって、
前記オーバーフロー排水管は、周方向に摺動可能な２重パイプとなっており、
該２重パイプのうちの一方のパイプが縦方向の第１の開口窓を備えると共に、他方のパイプが斜め方向の第２の開口窓を備え、前記第１の開口窓と前記第２の開口窓が重なった箇所において開口が形成されるものであることを特徴とするオーバーフロー排水管。
【請求項５】
前記一方のパイプ或いは前記他方のパイプを周方向に回転させるモータが接続されたものである請求項４に記載のオーバーフロー排水管。
【発明の詳細な説明】
【技術分野】
【０００１】
本発明は、水槽、並びに水槽に用いられるオーバーフローパイプ排水管に関するものである。前記水槽としては観賞用，養殖用，水族館用等の様々な用途に用いられる。
【背景技術】
【０００２】
水槽内の水は、飼育されている魚等によって徐々に汚染されることから、この水を循環濾過させることが一般に行われている。この水循環式水槽としては、オーバーフローパイプを設け、ここから排出された水を濾過装置により濾過し、再び水槽に返すという構成のものが知られている。
【０００３】
図５の（ａ）は従来の水槽６０の一例を表す斜視図であり、（ｂ）は、この水槽６０について（ａ）に示すＡ−Ａ間の縦断面を表した図である。尚図５（ｂ）においては端面を図示している。また図５（ａ）では水位を仮想線（二点鎖線）で表している。
【０００４】
該水槽６０の一画にはオーバーフローパイプ６１が水槽底板を貫通して立設され、この周りを囲う様にして囲い部材６２が設けられている。囲い部材６２の下方には通水孔６３が複数形成され、囲い部材６２の内側（排出水域６５）と外側（魚等の生息域６４）の通水を可能としている。尚、水槽６０の側壁及び囲い部材６２は透明材料で構成されている。
【０００５】
水の循環過程について述べると、まず囲い部材６２外側の生息域６４の水は、通水孔６３を通って囲い部材６２の内側（排出水域６５）に入り（矢印Ｅ）、排出水域６５を上昇して（矢印Ｆ）オーバーフローパイプ６１の上部開口縁６１ａからパイプ６１内に溢れ入る（矢印Ｇ）。そしてオーバーフローパイプ６１から排出された水は（矢印Ｈ）、外部濾過器（図示せず）により濾過され、給水パイプ６６から再び水槽６０の生息域６４へと供給される（矢印Ｉ）。この様にして水槽６０内の水が濾過されて循環している。また水槽６０内の水位は、オーバーフローパイプ６１の開口縁６１ａの高さ位置によって決まってくる。
【０００６】
因みに、魚が糞等をすることにより汚れた水は底の方に溜まる傾向にあり、これ故、下方部分に通水孔６３を有する囲い部材６２でオーバーフローパイプ６１を囲い、汚れた底付近の水を優先して排出できる様にしているのである。
【０００７】
ところで、魚の種類によっては潮の干満の影響を受けて産卵を誘発されるものがあり、また水草に付着したバクテリアのなかには、潮の干満があることによりその硝酸塩除去作用が活発化する種もある。この為、水槽内で水草や魚を飼育する場合であっても、その水位を変化させて人工的に干満を作る方が望ましいことがある。
【０００８】
この様な観点から、例えば特許文献１には水槽の水位を変更できる構成のものが提案されている。該水槽は、オーバーフローパイプを滑車とリールによって昇降可能に構成し、モータを駆動して上記リールを巻き上げる或いは巻き解くことにより、オーバーフローパイプを上下させ、これにより水位を変化させるというものである。尚、このモータの動作を制御装置によって自然の潮の干満に合わせて制御することも提案されている。
【特許文献１】特開平５−２６８８５５号公報
【発明の開示】
【発明が解決しようとする課題】
【０００９】
とは言え、上記特許文献１に記載の水槽の様にオーバーフローパイプ自体を上下させる構成のものでは、構造が複雑で大がかりなものとなる。そこで本発明においては、簡単な構成で水位の変更を可能とした水槽、並びにオーバーフローパイプ排水管を提供することを目的とする。
【課題を解決するための手段】
【００１０】
上記目的を達成し得た本発明に係る水槽［その１］は、オーバーフロー排水管がそのコーナー部近傍に配置された矩形の水槽であって、該オーバーフロー排水管が、前記コーナー部の両側壁に架け渡される本体平板と、この本体平板に沿って左右へ送られる引き戸部とを備え、前記本体平板には、斜め方向の開口窓が形成され、前記引き戸部のスライド位置によって前記開口窓の開口程度が調節されることを特徴とする。
【００１１】
本発明の水槽［その１］によれば、引き戸部のスライド位置によって、斜めに開いた開口窓の上方だけ開けたり、中間位置まで開けたり、または下方まで全開にする（或いは下方だけを開ける）ことができる。そして開口窓の上方だけが開く様にした場合では、水槽の水位はこの開口窓の上方の位置の高さとなり、開口窓を全開とすると、該開口窓の開口下端の高さとなり、また開口窓の開口程度を中間にすると、水位がその中間に相当する位置となる。この様に引き戸部のスライドによって水位を任意に変更でき、しかもこの構成は簡単であるので、大がかりな装置とならず、また低廉なコストで達成し得る。
【００１２】
或いは本発明に係る水槽［その２］は、円筒状のオーバーフロー排水管が配置された水槽であって、前記オーバーフロー排水管は、周方向に摺動可能な２重パイプとなっており、該２重パイプのうちの一方のパイプが縦方向の第１の開口窓を備えると共に、他方のパイプが斜め方向の第２の開口窓を備え、前記第１の開口窓と前記第２の開口窓が重なった箇所において開口が形成されるものであることを特徴とする。またこれと同様の特徴を有する本発明に係るオーバーフロー排水管は、水槽に配置される円筒状のオーバーフロー排水管であって、前記オーバーフロー排水管は、周方向に摺動可能な２重パイプとなっており、該２重パイプのうちの一方のパイプが縦方向の第１の開口窓を備えると共に、他方のパイプが斜め方向の第２の開口窓を備え、前記第１の開口窓と前記第２の開口窓が重なった箇所において開口が形成されるものであることを特徴とする。
【００１３】
これによれば、第１，２の開口窓の重なった箇所から水が排出され、当該高さが水位となる。そして上記２重パイプの摺動により、第１，２の開口窓の重なり合う高さ位置を変えることができるので、これに伴って水位を変更することができる。
【００１４】
なお上述の本発明のその１，２に共通する点は、水槽内の水が排出される排水口として、斜め方向の開口窓を基本とし、この斜め方向開口窓の開け具合を調節可能に構成したところにある。
【００１５】
更に本発明の水槽［その２］及びオーバーフロー排水管において、前記一方のパイプ或いは前記他方のパイプを周方向に回転させるモータが接続されたものであることが好ましい。このモータにより上記パイプを回転させる様にすれば、自動的に水位を変えることができる。加えてこのモータによるパイプの回転速度を調整することによって、水位の変更を所望の時間間隔で行うことが可能である。
【発明の効果】
【００１６】
本発明に係る水槽、オーバーフロー排水管によれば、水位の変更を簡単な構成で実現することができる。
【発明を実施するための最良の形態】
【００１７】
＜実施形態１＞
図１は本発明の実施形態１に係る水槽［その１］１０を示す斜視図である。図２の（ｂ），（ｃ）は水槽１０のオーバーフロー排水管を正面から見た図で、図２の（ａ）はこのオーバーフロー排水管における本体平板１１と引き戸部１４の側面図である。
【００１８】
水槽１０は直方体であり、その１つのコーナー部１０ａを形作る側壁１６，１７を架け渡してオーバーフロー排水管の本体平板１１が設けられている。この本体平板１１には、上辺近傍から中程の高さまで斜め方向に細長く伸びた開口窓１５が形成されている。また本体平板１１の上辺及び下辺にはレール部（上レール部１８，下レール部１９）が形成されている。これら上下レール部１８，１９は断面コ字状の溝となっており、この上下レール部１８，１９に長方形の引き戸部１４が嵌装され（図２の（ａ））、上下レール部１８，１９を敷居として引き戸部１４が左右にスライド可能となっている（矢印Ｃ，Ｄ）。尚引き戸部１４は本体平板１１に対して液密状態で取り付けられている。また上レール部１８にはストッパー２９が設けられ、引き戸部材１４のスライド範囲を規制している。本体平板１１で仕切られた内側（コーナー部１０ａの側）（排水エリア３１）における水槽１０の底板には排水口（図示せず）が形成されており、この排水口から水が外に排出される様になっている。尚本体平板１１と引き戸部１４とこれらで仕切った排水エリア３１によりオーバーフロー排水管が構成される。
【００１９】
このオーバーフロー排水管よりも水槽中央側には、オーバーフロー排水管を囲う様にしてコーナー部１０ａの両側壁１６，１７を架け渡す平板状の囲い部材１２が設けられている。囲い部材１２の下方には通水孔１３が複数形成されており、囲い部材１２の内側（排出水域６５）と外側（魚等の生息域６４）の通水を可能としている。尚、水槽１０の側壁及び囲い部材１２は透明材料で構成されている。また図１において、水面を仮想線（二点鎖線）で表している。
【００２０】
次にこの実施形態１での排水の様子について説明する。
【００２１】
まず生息域６４内の水は、囲い部材１２で隔てられた排出水域６５に通水孔１３を通って入り、次いで開口窓１５から排水エリア３１に入り、排水エリア３１の排水口から外部に排出される。この際、引き戸部１４の位置によって開口窓１５の開口下端の位置が変わるから（Ｓ1，Ｓ2，Ｓ3）、これに伴って開口窓１５からの排水の高さが変わり、水槽１０の水位が変わる。つまり図２の（ｃ）に示す様に、引き戸部１４のスライド位置により開口窓１５を全開にした場合には、開口窓１５の窓下端部１５ｂの位置（Ｓ1）まで水が排出されることとなり、水槽１０の水位が窓下端部１５ｂの位置（Ｓ1）となる。また引き戸部１４をスライドさせて図１に示す様に中間の位置とした場合には、開口窓１５の開口している下端の位置（Ｓ2）まで水が排出されるので、水槽１０の水位はこの開口下端位置（Ｓ2）となる。図２（ｂ）は、引き戸部１４を閉めた状態であるが、上レール部１８にストッパー２９が設けてあるので、開口窓１５は完全に閉まらず、上方が開いた状態となっている。開口窓１５を完全に閉めると、排出できなくなってオーバーフロー排水管としての役割を果たすことができなくなるからである。そして水槽１０の水位はこのときの開口下端位置（Ｓ3）となる。
【００２２】
この様に引き戸部１４のスライド位置によって水槽１０の水位を変化させることができ、その変化の程度は図２（ｂ），（ｃ）に示す高さＴ1〜Ｔ2である。尚、開口窓１５の窓下端部１５ｂが水槽底から或る程度高い位置に形成されているから、最も低い水位となる場合であってもＴ1の水位を保ち、水が干上がってしまうことがない。
【００２３】
尚引き戸部１４をモータに接続して、該引き戸部１４をゆっくりと左右にスライドさせる構成とし、自動的に水位を変化させる様にしても良い。
【００２４】
以上の様に本実施形態１によれば、引き戸部１４のスライドによって水位を任意に変更でき、しかもこの構成は簡単で、大がかりな装置ではなく、低コストである。
【００２５】
＜実施形態２＞
図４は本発明の実施形態２に係る水槽［その２］２０を示す斜視図であり、図３はこの水槽２０におけるオーバーフロー排水管（本発明に係るオーバーフロー排水管）２５を示す斜視図である。
【００２６】
水槽２０の一画にはオーバーフロー排水管２５が立設して設けられている。このオーバーフロー排水管２５の上端２５ａは、水槽２０側壁の上端２０ａよりもやや低くなっている。またこのオーバーフロー排水管２５の周囲を囲うようにして囲い部材６２が設けられており、従来と同様にこの囲い部材６２の下方には通水孔６３が複数形成され、囲い部材６２の内側（排出水域６５）と外側（魚等の生息域６４）が通水可能となっている。尚、水槽２０の側壁及び囲い部材６２は透明材料で構成されている。
【００２７】
オーバーフロー排水管２５は、内パイプ２３と外パイプ２４からなる２重パイプとなっており、内パイプ２３が水槽２０の底板を貫通して固定され、この内パイプ２３に対して外パイプ２４が液密状態で周方向に摺動可能となっている。外パイプ２４にはモータ（図示せず）が接続されており、外パイプ２４を右回転及び左回転に切り替えてゆっくりと回転させる構成となっている（矢印Ｂ）。
【００２８】
内パイプ２３には縦方向（鉛直方向）の開口窓（第１の開口窓）２１が形成され、外パイプ２４には斜め方向の開口窓（第２の開口窓）２２が形成されている。そして開口窓２１，２２の重なった箇所においてオーバーフロー排水管２５としての開口２６が形成されることとなる。そして上記の様に内パイプ２３に対して外パイプ２４が回転しているから、開口２６の位置が上下変化するようになる。開口窓２１，２２の高さ範囲としては、オーバーフロー排水管２５における上方近傍の位置から中程の高さまでとなっている。
【００２９】
次にこの実施形態２における排水の様子について説明する。
【００３０】
生息域６４内の水は通水孔６３を通って囲い部材６２の内側（排出水域６５）に入り、開口窓２１，２２の重なった開口２６からオーバーフロー排水管２５内（詳細には、内パイプ２３内）に入り、水槽２０の外に排出される。そして水槽２０の水位は開口２６の開口下端位置となる（Ｔ3）。開口２６の高さ位置は、外パイプ２４の回転によって上下に変化するから、これに伴って水槽２０の水位も図３に示すＴ1〜Ｔ2の高さの間で変化する。尚最も低い水位であってもＴ1の高さを下回らないので、水槽２０内の水が干上がることがない。また仮に開口窓２１，２２が重ならずに開口２６を形成しない場合でも、本実施形態２では水槽２０側壁の上端２０ａよりもオーバーフロー排水管２５の上端２５ａが低くなっているので、この上端２５ａからオーバーフロー排水管２５内（内パイプ２３内）に排出され、水槽２０側壁から水が溢れることがない。
【００３１】
本実施形態２においても水位を変更することができ、しかも簡単な構成であり、低コストである。
【００３２】
以上、例を挙げて本発明を具体的に説明したが、本発明はもとより上記例によって制限を受けるものではなく、前記の趣旨に適合し得る範囲で適当に変更を加えて実施することも勿論可能であり、それらはいずれも本発明の技術的範囲に包含される。
【００３３】
例えば実施形態２では、外パイプ２４に斜め方向の開口窓２２，内パイプ２３に縦方向の開口窓２１が形成された構成のものを示したが、これとは逆に外パイプ２４に縦方向の開口窓２２，内パイプ２３に斜め方向の開口窓２１が形成された構成のものであっても良い。
【００３４】
また上記実施形態２では外パイプ２４が回転可能な構成であるが、外パイプを固定し内パイプを回転可能な構成としても良いし、或いは内パイプと外パイプの両方を回転可能に構成しても良い。
【図面の簡単な説明】
【００３５】
【図１】本発明の実施形態１に係る水槽を示す斜視図である。
【図２】（ａ）は実施形態１のオーバーフロー排水管における本体平板と引き戸部の側面図であり、（ｂ），（ｃ）は実施形態１のオーバーフロー排水管を正面から見た図である。
【図３】本発明の実施形態に係るオーバーフロー排水管を示す斜視図である。
【図４】本発明の実施形態２に係る水槽を示す斜視図である。
【図５】（ａ）は従来の水槽の一例を表す斜視図であり、（ｂ）は（ａ）に示すＡ−Ａ間の縦断面を表した図である。
【符号の説明】
【００３６】
１０，２０  水槽
１１  本体平板
１２，６２  囲い部材
１３，６３  通水孔
１４  引き戸部
１５，２１，２２  開口窓
１６，１７  側壁
２３  内パイプ
２４  外パイプ
２５  オーバーフロー排水管
２６  開口
【図１】
2007082512.tif 000003
【図２】
2007082512.tif 000004
【図３】
2007082512.tif 000005
【図４】
2007082512.tif 000006
【図５】
2007082512.tif 000007